(57)【特許請求の範囲】
【請求項１】
電子機器が載置される天板を有する什器の天板構造であって、
前記天板の外縁に形成されて上下に連通する切欠き部と、
該切欠き部に嵌合された取付部、及び該取付部に支持されて前記天板の上方に配された落下防止部材が取り付けられた落下防止部材保持部を有する保持部材とを備えることを特徴とする什器の天板構造。
【請求項２】
請求項１に記載の天板構造において、
前記保持部材の前記取付部には、前記天板の上面側から下面側へと連通するとともに、前記天板の外縁に向かって開口し、配線を配設可能な配線空間部が形成されていることを特徴とする天板構造。
【請求項３】
請求項１又は請求項２に記載の天板構造において、
前記保持部材は、前記配線空間部の外縁の開口を狭めるように突出する配線押さえ片を有することを特徴とする天板構造。
【請求項４】
請求項１から請求項３のいずれか一項に記載の天板構造において、
前記保持部材は、天板の上面側で前記取付部に支持され、配線を係合可能な第一配線係合部を有することを特徴とする天板構造。
【請求項５】
請求項１から請求項４のいずれか一項に記載の天板構造において、
前記保持部材は、前記天板の下面側で前記取付部に支持され、配線を係合可能な第二配線係合部を有することを特徴とする天板構造。
【請求項６】
請求項１から請求項５のいずれか一項に記載の天板構造において、
前記天板の下面に支持されて、物品を載置可能な物品載置棚を備え、
該物品載置棚に載置された物品と、前記天板上の電子機器とは、前記配線空間部に配設された配線により接続可能であることを特徴とする天板構造。
【請求項７】
請求項１から請求項６のいずれか一項に記載の天板構造において、
前記切欠き部と、該切欠き部に前記取付部が嵌合された前記保持部材とは、前記天板の前後方向前側の前端部と、前記前後方向と直交する左右方向両側の両側端部とにそれぞれ設けられ、
前記落下防止部材は、
互いに対向して設けられ、前記天板の両側端部に設けられた前記保持部材の前記落下防止部材保持部に保持された一対の側部柵と、
前後方向前側で一対の前記側部柵同士を連結し、前記天板の前端部に設けられた前記保持部材の前記落下防止部材保持部に保持された前部柵とを有することを特徴とする天板構造。
【請求項８】
請求項１から請求項７のいずれか一項に記載の天板構造を備えることを特徴とするカート装置。
【発明の詳細な説明】
【技術分野】
【０００１】
本発明は、特にオフィス、病院、又は公共施設等における執務空間にて使用される什器に設けられた電子機器載置用の天板構造に関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、執務者がカート装置と共に移動し、随時必要に応じた場所にて執務が行われていた。
ここで、カート装置の天板上に電子機器を載置した場合に、カート装置に外力を加えると、電子機器が天板から落下してしまう可能性がある。そこで、電子機器の落下を防止するために、天板の外周部近傍に天板の上面から上方に向かって落下防止部材が設けられた天板が採用されている（例えば、特許文献１参照）。この落下防止部材が設けられた天板の構造では、落下防止部材が取り付けられた電子機器を載置するための台を、カート装置の天板の上に固定する仕様となっている。電子機器を載置するための台は板金の折曲成形により構成され、台を天板に固定する部分には内向きチャネル部を設け、ピンを止着するための長穴を設ける等の加工を施す必要がある。
【先行技術文献】
【特許文献】
【０００３】
【特許文献１】特開２００８−１４２２７８号公報
【発明の概要】
【発明が解決しようとする課題】
【０００４】
しかしながら、特許文献１の天板構造では、板金を、第２の天板として什器であるカート装置の第１の天板に固定可能としつつ、電子機器を載置可能にするように加工をする必要があり、加工工数が増大し、又板金の材料費及び加工費等のコストが増大してしまうという問題点があった。
また、特許文献１の天板構造では、什器であるカート装置に設けられた第１の天板の外縁に、電子機器を載置するとともに落下防止部材が固定された第２の天板の内向きチャネル部を嵌合する必要があり、第１の天板よりも幅広となって設置スペースが増大してしまう問題があった。
【０００５】
本発明は、前述の従来技術における問題を解決するために、簡易な加工であって、コストを安く、電子機器を安定的に支持することができるとともに、スペースが増大してしまうことなく天板上の電子機器の落下を防止して執務者の使い勝手を良好とする天板構造を提供することを目的とするものである。
【課題を解決するための手段】
【０００６】
上記目的を達成するために、本発明は以下の手段を採用している。
すなわち、本発明に係る天板構造は、電子機器が載置される天板を有する什器の天板構造であって、前記天板の外縁に形成されて上下に連通する切欠き部と、該切欠き部に嵌合された取付部、及び該取付部に支持されて前記天板の上方に配された落下防止部材が取り付けられた落下防止部材保持部を有する保持部材とを備えることを特徴とする。
【０００７】
この構成では、落下防止部材は落下防止部材保持部に取り付けられ、落下防止部材保持部は保持部材に設けられ、保持部材の一部の取付部は天板に形成された切欠き部に嵌合されているので、落下防止部材は確実に天板に固定される。よって、天板構造を搭載したカート装置に外力を加えても、落下防止部材により天板に載置された電子機器の落下を防止することができるとともに、電子機器を安定的に支持することができる。
また、天板に切り欠き加工をして切欠き部を設け、切欠き部に取付部を嵌合させるだけという簡易な構造なので、簡易な加工で製作でき、コストの低減を図ることができる。
また、落下防止部材を保持する保持部材は、上記のとおり、取付部が天板の外縁に形成された切欠き部に嵌合されて天板に支持されており、落下防止部材も天板の上方に配されている。このため、平面視して天板が配置された範囲内で落下防止部材を設置することができ、設置スペースを最小限に抑えることができる。
【０００８】
また、本発明に係る天板構造は、前記保持部材の前記取付部には、前記天板の上面側から下面側へと連通するとともに、前記天板の外縁に向かって開口し、配線を配設可能な配線空間部が形成されていることを特徴とする。
【０００９】
この構成では、天板の上に載置された電子機器の配線は、配線空間部の内部に納まって天板の上方から下方へと導かれるので、配線を、天板の外側に配線してしまうことなく、体裁よく案内することができる。
また、移動式の什器であったとしても、移動に伴って配線がみだりに動くことはないので、執務者の使い勝手を良好にすることができる。さらに、配線空間部は天板の外縁に向かって開口しているので、配線の抜き差しは上下方向からのみならず外縁の開口からもでき、執務者の使い勝手を良好にすることができる。
【００１０】
また、本発明に係る天板構造は、前記保持部材は、前記配線空間部の外縁の開口を狭めるように突出する配線押さえ片を有することを特徴とする。
【００１１】
この構成では、配線押さえ片は、配線空間部に挿入された配線を配線空間部の外縁の開口から抜けるのを防止することができる。このため、配線が挿入された状態を確実に維持することができ、配線を体裁よく案内することができるとともに、執務者の使い勝手を良好にすることができる。
【００１２】
また、本発明に係る天板構造は、前記保持部材は、天板の上面側で前記取付部に支持され、配線を係合可能な第一配線係合部を有することを特徴とする。
【００１３】
この構成では、配線は取付部に支持された第一配線係合部に係合されているため、配線を天板の近傍にて確実に支持することができるので、配線を体裁よく案内することができる。
また、移動式の什器であったとしても配線は第一配線係合部に係合されているために、移動に伴って天板上にてみだりに動くことはないので、執務者の使い勝手を良好にすることができる。
さらに、配線を抜いた後に一時的に第一配線係合部に係合しておけば、次に差しこむ際の差し込みが容易となり、配線を着脱する際における執務者の使い勝手も良好にすることができる。
【００１４】
また、本発明に係る天板構造は、前記保持部材は、前記天板の下面側で前記取付部に支持され、配線を係合可能な第二配線係合部を有することを特徴とする。
【００１５】
この構成では、配線は取付部に支持された第二配線係合部に係合されているため、配線を天板の下方にて確実に支持することができるので、配線を体裁よく案内することができる。
また、移動式の什器であったとしても配線は第二配線係合部に係合されているために、移動に伴って天板下にてみだりに動くことはないので、執務者の使い勝手を良好にすることができる。
【００１６】
また、本発明に係る天板構造は、前記天板の下面に支持されて、物品を載置可能な物品載置棚を備え、該物品載置棚に載置された物品と、前記天板上の電子機器とは、前記配線空間部に配設された配線により接続可能であることを特徴とする。
【００１７】
この構成では、物品が載置された物品載置棚は天板の下面に支持されているので、物品載置棚は安定的に物品を支持することができる。
また、電子機器に接続された物品を天板の下方に載置することができるので、電子機器の使用時における執務者の使い勝手を良好にすることができる。
そして、天板上と電子機器と配線空間部に配設された配線により接続することができる。
【００１８】
また、本発明に係る天板構造は、前記切欠き部と、該切欠き部に前記取付部が嵌合された前記保持部材とは、前記天板の前後方向前側の前端部と、前記前後方向と直交する左右方向両側の両側端部とにそれぞれ設けられ、前記落下防止部材は、互いに対向して設けられ、前記天板の両側端部に設けられた前記保持部材の前記落下防止部材保持部に保持された一対の側部柵と、前後方向前側で一対の前記側部柵同士を連結し、前記天板の前端部に設けられた前記保持部材の前記落下防止部材保持部に保持された前部柵とを有することを特徴とする。
【００１９】
この構成では、落下防止部材は一対の側部柵及び前部柵の三辺を有する柵であり、取付部は対応する前端部と両側端部の三箇所にて固定され、各取付部に支持された落下防止部材保持部により落下防止部材を保持している。よって、落下防止部材により電子機器の落下を三方向から確実に防止することができるとともに、電子機器を安定的に支持することができる。
また、配線空間部が形成された取付部は天板の三箇所に設けられているので、配線はより近い配線空間部より天板の上方から下方に導かれるので、配線を体裁よく案内することができる。
【００２０】
また、本発明に係るカート装置は、前記天板構造を備えることを特徴とする。
【００２１】
この構成では、カート装置は電子機器を安定的に支持することができるとともに、電子機器の落下を防止することができる。
【発明の効果】
【００２２】
本発明に係る天板構造によれば、簡易な加工であって、コストが安く、電子機器を安定的に支持することができるとともに、スペースが増大してしまうことなく天板上の電子機器の落下を防止することができ、執務者の使い勝手を良好執務者の使い勝手を良好とすることができる。
【図面の簡単な説明】
【００２３】
【図１】本発明の第一実施形態に係るカート装置の概略図である。
【図２】本発明の第一実施形態に係る天板構造を示す概略図である。
【図３】本発明の第一実施形態に係る天板構造の天板の前端部に取り付けられた第一保持部材を上前方から見た概略図である。
【図４】本発明の第一実施形態に係る天板構造の天板の前端部に取り付けられた第一保持部材を上後方から見た概略図である。
【図５】本発明の第一実施形態に係る天板構造の天板の前端部に取り付けられた第一保持部材をした前方から見た概略図である。
【図６】本発明の第二実施形態に係る天板構造の天板の前端部に取り付けられた第一保持部材を上前方から見た概略図である。
【発明を実施するための形態】
【００２４】
（第一実施形態）
以下、本発明の第一実施形態に係る天板構造１について、図面を参照して説明する。
（カート装置１０１の構成）
図１は、本実施形態の天板構造１を搭載したカート装置１０１を示している。
カート装置１０１は、床面上を走行可能なキャスター１５１が設けられたベース部５１と、ベース部５１から上方に向かって立設された支持基体６１と、支持基体６１によって支持された電子機器Ｅが載置される略矩形の天板１０と、天板１０に設けられて電子機器Ｅを保持する天板構造１と、天板構造１から後方に突設した把持可能な操作ハンドル部７１と、を備える。
ここで、執務者が操作ハンドル部７１と対向するように位置して操作ハンドル部７１を押し引きする方向となる図１の紙面の右奥から左手前に沿う方向をカート装置１０１の前後方向Ｙとし、操作ハンドル部７１を押す側となる紙面右奥側をカート装置１０１の「前方」、操作ハンドル部７１を引く側となる紙面左手前側をカート装置１０１の「後方」と称する。また、平面視して前後方向Ｙと直交する方向となる図１の紙面右手前から左奥に沿う方向をカート装置１０１の左右方向Ｘとし、紙面右手前側をカート装置１０１の「右側」、紙面左奥側をカート装置１０１の「左側」と称する。
【００２５】
（ベース部５１の構成）
ベース部５１は、前後方向に配された２本の脚杆１５２と、各脚杆１５２の前後方向略中央において互いに連結する下側ビーム１５３と、各脚杆１５２の先端に設けられた４個のキャスター１５１と、を備える。
【００２６】
（支持基体６１の構成）
支持基体６１は、各脚杆１５２の前後方向略中央より少し後方から立設された支持柱１６１と、各支持柱１６１の上側において互いに連結する上側ビーム１６２と、各支持柱１６１の内側にて複数のワイヤー部材が上下左右に所定の間隔をもって格子状に配された略矩形の側フレーム１６３と、を備える。
【００２７】
（天板構造１）
次に、本実施形態の天板構造１について、以下に詳しく説明する。
図１及び図２に示すように、天板構造１は、天板１０上の電子機器Ｅの落下防止のための落下防止部材１３２と、天板１０の外縁に形成されて上下に連通する切欠き部２と、切欠き部２に取り付けられて落下防止部材１３２を保持する保持部材３と、を備える。
また、天板１０は下面にて、物品Ａを載置可能な物品載置棚４を支持している。
【００２８】
（落下防止部材１３２の構成）
落下防止部材１３２は、互いに対向して設けられ、天板１０の両側端部１２に沿って設けられた一対の側部柵２３２と、前後方向前側で一対の側部柵２３２同士を連結し、天板１０の前端部１１に沿って設けられた前部柵２３３と、各側部柵２３２の先端から下方へ向けて延設された鉛直柵２３４と、を備える。また、側部柵２３２と前部柵２３３の連結箇所及び側部柵２３２と鉛直柵２３４の連結箇所は、曲線状に屈曲している。
【００２９】
（切欠き部２の構成）
本実施形態の天板構造１は、切欠き部２として、天板１０の前端部１１であって天板１０の左右方向の略中央に形成された第一切欠き部２Ａと、天板１０の左右方向両側の両側端部１２であって前後方向の略中央に形成された二つの第二切欠き部２Ｂと、を有する。また、各切欠き部２には、対応する保持部材３が嵌合されている。
【００３０】
（保持部材３の構成）
本実施形態の天板構造１は、保持部材３として、天板１０の前端部１１であって天板１０の左右方向略中央に設けられ第一切欠き部２Ａに取り付けられた第一保持部材３Ａと、天板１０の左右方向両側の両側端部１２であって前後方向の略中央に設けられ第二切欠き部２Ｂに取り付けられた第二保持部材３Ｂと、を有する。
また、第一保持部材３Ａは、第一切欠き部２Ａに嵌合された第一取付部３１Ａと、第一取付部３１Ａから上方に向けて突出した上向き突部３０と、該上向き突部３０に設けられた第一落下防止部材保持部３２Ａと、天板１０の上面側で第一取付部３１Ａに支持され、配線Ｗを係合可能な第一配線係合部３４と、天板１０の下面側で第一取付部３１Ａに支持され、配線Ｗを係合可能な第二配線係合部３５と、を備える。
ここで、保持部材３は本実施形態では樹脂製品だが、樹脂製品に限られず、取付部３１と落下防止部材保持部３２を有していれば、金属製品等他の材料から形成されていてよい。
【００３１】
図３及び図４に示すように、第一取付部３１Ａは、第一切欠き部２Ａの内縁２１Ａに沿うように形成された第一嵌合部１３０Ａと、天板１０の上面側から下面側へと連通するとともに、天板１０の外縁に向かって開口し、配線Ｗを配設可能に形成された配線空間部である第一配線空間部１３１Ａと、を有する。
第一嵌合部１３０Ａは、上下方向に沿う切断面で断面視して、第一切欠き部２Ａの内縁２１Ａと対応した凹状に形成され、第一切欠き部２Ａの内縁２１Ａに嵌合されている。
また、第一配線空間部１３１Ａは、平面視して左右方向に細長であって上面側から下面側に連通するとともに、天板１０の前端部１１に向かって開口している。
【００３２】
上向き突部３０は、第一取付部３１Ａの左右方向略中央で第一嵌合部１３０Ａと第一配線空間部１３１Ａとの間に設けられ、第一取付部３１Ａの上面から上向きに突設している。また、上向き突部３０は、平断面視して略矩形の形状であり、上端部には第一落下防止部材保持部３２Ａ及び第一配線係合部３４が設けられている。
【００３３】
第一落下防止部材保持部３２Ａは、上向き突部３０の上端部より上向きに突設し、天板１０の内方となる後向きに開口する凹曲面形状を有しており、その開口部分に前部柵２３３が係合されている。ここで、第一保持部材３Ａは天板１０の第一切欠き部２Ａ内に設けられていることから、第一保持部材３Ａの第一落下防止部材保持部３２Ａは天板１０の前端より内側にて前部柵２３３を保持している。
【００３４】
第一配線係合部３４は、上向き突部３０の上端部と第一落下防止部材保持部３２Ａとの間に設けられ、天板１０の外方となる前向きに開口する曲面形状を有しており、その開口部分に配線Ｗを係合可能である。また、第一配線係合部３４は、開口下部から上方に突出する第一係止片１３３Ａを有し、第一係止片１３３Ａによって係合された配線Ｗの開口からの脱落を規制することが可能である。
【００３５】
第二配線係合部３５は、図５に示すように、天板１０の下面の前端部１１であって平面視して第一配線空間部１３１Ａの後方より下向きに突設する基部１３４Ｂと、基部１３４Ｂから左右両側に片持ち状に延設されて、配線Ｗを支持可能な支持片１３６Ｂと、支持片１３６Ｂの先端に設けられ、支持片１３６Ｂに支持された配線Ｗの脱落を規制する第二係止片１３３Ｂとを有する。
第二係止片１３３Ｂは、支持片１３６Ｂの上面から天板１０の下面に向かって突出しているとともに、先端に向かうに従って次第に天板１０の下面から離間するような傾斜面１３５Ｂを有している。
第二係止片１３３Ｂの突端と天板１０の下面の離間距離は、使用される配線Ｗの径よりも小さく設定されている。そして、支持片１３６Ｂを弾性的に下側へ撓ませることで、第二係止片１３３Ｂと天板１０との間を通過させて支持片１３６Ｂによって配線Ｗを支持させることが可能となっている。
【００３６】
第一保持部材３Ａは、さらに第一配線空間部１３１Ａの左右両側から突出し、第一配線空間部１３１Ａの開口を狭めるようにして設けられた第一配線押さえ片３３Ａを有している。
第一配線押さえ片３３Ａによって狭められた第一開口１３９Ａの幅は、カート装置１０１や電子機器Ｅ等に力を加えても、第一配線空間部１３１Ａの内部に挿入された配線Ｗが第一開口１３９Ａから抜け出ない程度の大きさである。また、第一配線押さえ片３３Ａの高さは天板１０の厚さと略同一である。
また、各第一配線押さえ片３３Ａの先端には、第一配線空間部１３１Ａ内に向かって突出する係止部１３７Ａが形成されており、第一配線空間部１３１Ａ内に配設された配線Ｗが位置ずれして第一開口１３９Ａへと移動してしまうのを規制することが可能となっている。
ここで、第一配線押さえ片３３Ａは、本実施形態では樹脂からなっているが、樹脂に限らない。なお、配線Ｗの挿脱時には、第一開口１３９Ａからの配線Ｗの挿脱を可能にするように第一開口１３９Ａの幅を若干拡げるように第一配線押さえ片３３Ａを変形させることが可能であるとともに、配線Ｗの挿脱後には元の形状に戻るように弾性変形が可能な材料であることが好ましい。
【００３７】
次に、第二保持部材３Ｂは、第二切欠き部２Ｂに嵌合された第二取付部３１Ｂと、第二取付部３１Ｂに形成された第二落下防止部材保持部３２Ｂと、を備える。
すなわち、第二保持部材３Ｂは、第一保持部材３Ａと比較すると、第一保持部材３Ａには備えられている上向き突部３０、第一配線係合部３４、及び第二配線係合部３５を備えていない構成となっている。
【００３８】
第二取付部３１Ｂには、第二切欠き部２Ｂの内縁２１Ｂに沿うように形成された第二嵌合部１３０Ｂと、天板１０の上面側から下面側へと連通するとともに、天板１０の外縁に向かって開口し、配線Ｗを配設可能に形成された配線空間部である第二配線空間部１３１Ｂと、を有する。
第二保持部材３Ｂは、さらに第二配線空間部１３１Ｂの左右両端から突出し、第二配線空間部１３１Ｂの開口を狭めるようにして設けられた第二配線押さえ片３３Ｂを有している。
第二嵌合部１３０Ｂは、上下方向に沿う切断面で断面視して、第二切欠き部２Ｂの内縁２１Ｂと対応した凹状に形成され、第二切欠き部２Ｂの内縁２１Ｂに嵌合されている。
【００３９】
また、第二配線空間部１３１Ｂは、平面視して略矩形であって上面側から下面側に連通するとともに、天板１０の各側端部１２に向かって開口している。
第二配線押さえ片３３Ｂによって狭められた第二開口１３９Ｂの幅は、カート装置１０１や電子機器Ｅ等に力を加えても、第二配線空間部１３１Ｂの内部に挿入された配線Ｗが第二開口１３９Ｂから抜け出ない程度の大きさである。また、第二配線押さえ片３３Ｂの高さは天板１０の厚さと略同一である。
ここで、第二配線押さえ片３３Ｂは、本実施形態では樹脂からなっているが、樹脂に限らない。なお、配線Ｗの挿脱時には、第二開口１３９Ｂからの配線Ｗの挿脱を可能にするように第二開口１３９Ｂの幅を若干拡げるように第二配線押さえ片３３Ｂが変形させることが可能であるとともに、配線Ｗの挿脱後には元の形状に戻るように弾性変形が可能な材料であることが好ましい。
【００４０】
第二落下防止部材保持部３２Ｂは、平面視して、第二取付部３１Ｂの左右方向中央で、第二配線空間部１３１Ｂと、第二切欠き部２Ｂの内縁２１Ｂに嵌合された第二嵌合部１３０Ｂとの間に設けられ、上方に向けて開口した穴である。また、第二落下防止部材保持部３２Ｂを形成する穴の断面は落下防止部材１３２の断面に対応した形状であり、第二落下防止部材保持部３２Ｂの上方から鉛直柵２３４が挿入されることにより、鉛直柵２３４は固定されている。
【００４１】
（物品載置棚４の構成）
物品載置棚４は、天板１０の下面より下方に突設した支柱にて支持されている。また、物品載置棚４は、複数のワイヤー部材が前後左右に所定の間隔をもって格子状に配された略矩形の形状をしている。
また、物品載置棚４に載置された物品Ａと、天板１０の上の電子機器Ｅとは、第一配線空間部１３１Ａ又は第二配線空間部１３１Ｂに配設された配線Ｗにより接続可能である。
【００４２】
このように構成された天板構造１及び天板構造１を搭載したカート装置１０１では、落下防止部材１３２のうち一対の側部柵２３２は第二保持部材３Ｂの第二落下防止部材保持部３２Ｂに嵌合され、保持されている。また、前部柵２３３は第一保持部材３Ａの第一落下防止部材保持部３２Ａに係合され保持されている。そして、第一保持部材３Ａの第一取付部３１Ａ及び第二保持部材３Ｂの第二取付部３１Ｂは、それぞれ対応する第一切欠き部２Ａまたは第二切欠き部２Ｂに嵌合され確実に固定されている。よって、天板構造１を搭載したカート装置１０１に外力を加えても、落下防止部材１３２により天板１０に載置された電子機器Ｅの落下を防止することができる。
また、天板構造１は、支持基体６１に支持され、支持基体６１はベース部５１に取り付けられていることにより、カート装置１０１が構成されている。よって、カート装置１０１全体として、電子機器Ｅを安定的に支持することができる。
また、天板１０の前端部１１と天板１０の左右両側の両側端部１２の三箇所に切り欠き加工をして切欠き部２を設け、切欠き部２に取付部３１を嵌合させるだけという簡易な構造なので、簡易な加工で製作でき、コストの低減を図ることができる。
また、前部柵２３３は、天板１０の前端部１１に施された第一配線空間部１３１Ａの後方に設けられた上向き突部３０の上端部より上向きに突設する第一落下防止部材保持部３２Ａにて、内向き保持されている。また、側部柵２３２と連結された鉛直柵２３４は、天板１０の両側端部１２に施された第二配線空間部１３１Ｂの左右方向内側に設けられた第二落下防止部材保持部３２Ｂに挿入され固定されている。このため、平面視して天板１０が配置された範囲内で落下防止部材１３２を設置することができ、設置スペースを最小限に抑えることができる。
【００４３】
第一配線空間部１３１Ａは天板１０の前端部１１の第一取付部３１Ａに設けられ、第二配線空間部１３１Ｂは天板１０左右方向両側の両側端部１２の第二取付部３１Ｂに設けられ、それぞれ上面側から下面側に連通する開口である。よって、天板１０の上に載置された電子機器Ｅの配線Ｗは、第一配線空間部１３１Ａ又は第二配線空間部１３１Ｂの内部に納まって体裁よく上方から下方へと導かれるので、配線Ｗを、天板１０の外側に配線してしまうことなく、体裁よく案内することができる。
また、カート装置１０１を移動させたとしても、配線Ｗは第一配線空間部１３１Ａ又は第二配線空間部１３１Ｂの内部に配設され保持されている。よって、カート装置１０１の移動に伴って配線Ｗがみだりに動くことはないので、執務者の使い勝手を良好にすることができる。さらに、第一配線空間部１３１Ａ及び第二配線空間部１３１Ｂはそれぞれ天板１０の外縁に向かって開口しているので、配線Ｗの抜き差しは上下方向からのみならず外縁の開口からもでき、執務者の使い勝手を良好にすることができる。
また、第一配線空間部１３１Ａ及び第二配線空間部１３１Ｂは合わせて天板１０の三箇所に設けられているので、配線Ｗはより近い配線空間部１３１より天板１０の上方から下方に導かれるので、配線Ｗを体裁よく案内することができる。
【００４４】
第一配線押さえ片３３Ａ、第二配線押さえ片３３Ｂは、それぞれ第一配線空間部１３１Ａ、第二配線空間部１３１Ｂの外縁の開口を両端方向から狭めるように突設した形状である。よって、第一配線空間部１３１Ａ、第二配線空間部１３１Ｂに挿入された配線Ｗをそれぞれ第一配線空間部１３１Ａ、第二配線空間部１３１Ｂの開口から抜けるのを防止することができる。
さらに、各第一配線押さえ片３３Ａの先端には、第一配線空間部１３１Ａ内に向かって突設する係止部１３７Ａが形成されているので、配線Ｗを第一配線空間部１３１Ａの外縁の第一開口１３９Ａから抜けるのを防止するのに効果的である。
また、第一配線押さえ片３３Ａ、第二配線押さえ片３３Ｂによって狭められた第一開口１３９Ａ、第二開口１３９Ｂの幅は、カート装置１０１や電子機器Ｅ等に力を加えても、第一配線空間部１３１Ａ、第二配線空間部１３１Ｂから抜け出ない程度の大きさである。よって、配線Ｗが挿入された状態を確実に維持することができ、配線Ｗを体裁よく案内することができるとともに、執務者の使い勝手を良好にすることができる。
また、第一配線押さえ片３３Ａ、第二配線押さえ片３３Ｂは、配線Ｗの挿脱時には、第一開口１３９Ａ、第二開口１３９Ｂからの配線Ｗの挿脱を可能にするように第一開口１３９Ａ、第二開口１３９Ｂの幅を若干拡げるように第一配線押さえ片３３Ａ、第二配線押さえ片３３Ｂを変形させることが可能である。よって、太い配線Ｗの挿入時は、第一開口１３９Ａ、第二開口１３９Ｂの幅を若干拡げるように変形することにより、太い配線Ｗの挿入も容易とする。さらに、配線Ｗの挿脱後は元の形状に戻るように弾性変形が可能なので、第一開口１３９Ａ、第二開口１３９Ｂから配線Ｗが抜け出るのを防止することができる。
【００４５】
第一配線係合部３４は、天板１０の前端部１１において、上向き突部３０の上端部と第一落下防止部材保持部３２Ａとの間に設けられ、天板１０の外方となる前向きに開口する曲面形状を有している。よって、配線Ｗを天板１０の近傍であり、かつ配線Ｗが案内される第一配線空間部１３１Ａの近傍にて、確実に支持することができるので、配線Ｗを体裁よく案内することができる。
また、カート装置１０１を移動させたとしても、配線Ｗは第一配線係合部３４に係合されているために、移動に伴って天板１０上にてみだりに動くことはないので、執務者の使い勝手を良好にすることができる。
さらに、配線Ｗを抜いた後に一時的に第一配線係合部３４に係合しておけば、次に差しこむ際の差し込みが容易となり、配線Ｗを着脱する際における執務者の使い勝手も良好にすることができる。
【００４６】
第二配線係合部３５は、天板１０の下面の前端部１１であって平面視して第一配線空間部１３１Ａの後方より下向きに突設する基部１３４Ｂと、基部１３４Ｂから左右両側に片持ち状に延設されて、配線Ｗを支持可能な支持片１３６Ｂと、支持片１３６Ｂの先端に設けられ、支持片１３６Ｂに支持された配線Ｗの脱落を規制する第二係止片１３３Ｂとを有する。よって、支持片１３６Ｂにて配線Ｗを係合し、第二係止片１３３Ｂが配線Ｗの脱落を規制するので、確実に係合した状態を維持することができる。また、配線Ｗを天板１０の下方にて確実に支持することができるので、配線Ｗを体裁よく案内することができる。
また、カート装置１０１を移動させたとしても、配線Ｗは第二配線係合部３５に係合されているために、移動に伴って天板１０下にてみだりに動くことはないので、執務者の使い勝手を良好にすることができる。
また、第二係止片１３３Ｂは、支持片１３６Ｂの上面から天板１０の下面に向かって突出しているとともに、先端に向かうに従って次第に天板１０の下面から離間するような傾斜面１３５Ｂを有している。第二係止片１３３Ｂの突端と天板１０の下面の離間距離は、使用される配線Ｗの径よりも小さく設定されていて、支持片１３６Ｂを弾性的に下側へ撓ませる構成となっている。よって、配線Ｗの挿脱を容易にするとともに、配線Ｗを係合した状態をより確実に維持することができる。
【００４７】
物品載置棚４は、天板１０の下面より下方に突設した支柱にて支持され、直交する複数のワイヤー部材により構成されている。よって、物品載置棚４に物品Ａを載置しても、物品載置棚４は安定的に物品Ａを支持することができる。
また、電子機器Ｅに接続された配線Ｗを第一配線空間部１３１Ａ又は第二配線空間部１３１Ｂから下方に案内し、配線Ｗに接続されたＡＣアダプターや余長コード等の物品Ａを天板１０の下方に設けられた物品載置棚４に載置することができるので、電子機器Ｅの使用時における執務者の使い勝手を良好にすることができる。
【００４８】
落下防止部材１３２は、一対の側部柵２３２及び前部柵２３３の三辺を有する柵である。また、前部柵２３３は第一落下防止部材保持部３２Ａに係合されることにより天板１０に保持され、側部柵２３２は連結する鉛直柵２３４が第二落下防止部材保持部３２Ｂに挿入されることにより固定されている。よって、落下防止部材１３２により電子機器Ｅの落下を三方向から確実に防止することができるとともに、電子機器Ｅを安定的に支持することができる。
【００４９】
なお、上述した実施の形態においては、天板構造１を搭載したカート装置１０１について説明したが、天板構造１を搭載した什器であってもよい。
【００５０】
（第二実施形態）
以下、本発明の第二実施形態について説明する。
図６は第二実施形態のカート装置１０１Ｘの天板構造１Ｘにおける第一保持部材３ＡＸを示している。図６に示すように、本実施形態の第一保持部材３ＡＸにおいては、第一配線係合部３４Ｘが、上向き突部３０Ｘの上端部に設けられた第一落下防止部材保持部３２ＡＸに対して前方側に隣接して、上向き突部３０Ｘの上端部に設けられている。また、第一配線係合部３４Ｘの先端は配線Ｗの係合を可能として上向きに凹形状となっている。
【００５１】
このような天板構造１Ｘでは、配線Ｗを上方より第一配線係合部３４Ｘの凹形状に挿入することができるので、配線Ｗを第一配線係合部３４Ｘに容易に係合することができる。また、係合された配線Ｗは上向きの凹形状によって係合されているので、係合状態を確実に支持することができる。
【００５２】
また、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００５３】
１、１Ｘ…天板構造
２…切欠き部
３…保持部材
４…物品載置棚
１０…天板
１１…前端部
１２…側端部
３１…取付部
３２…落下防止部材保持部
３３…配線押さえ片
３４、３４Ｘ…第一配線係合部
３５…第二配線係合部
１０１、１０１Ｘ…カート装置
１３１…配線空間部
１３２…落下防止部材
２３２…側部柵
２３３…前部柵
Ｅ…電子機器
Ｗ…配線
Ａ…物品
【図１】
0005745353.tif 000002
【図２】
0005745353.tif 000003
【図３】
0005745353.tif 000004
【図４】
0005745353.tif 000005
【図５】
0005745353.tif 000006
【図６】
0005745353.tif 000007